(57)【要約】【課題】複雑な加工を施すことなく椅子における張材の張設作業効率を向上させることができるとともに、張材の張力を枠体全体に亘って均一に保持することができるようにする。【解決手段】椅子１における枠体２９を、その周縁の一部が初期状態において所望の間隔を呈するように切除された弾性を有する主フレーム３０と、この主フレームの初期状態における切除部３４の対向端部３４ａ間の間隔寸法とほぼ同一の寸法を有する嵌合部３６が設けられた連結フレーム３５とより形成する。主フレームを、その弾性力に抗して切除部の対向端部同士が接近しうる縮小方向に変形させた状態で、主フレームの周縁に張材２７の周縁部を取り付けた後、主フレームを初期状態に弾性復帰力によって拡開させて、連結フレームの嵌合部を、切除部の対向端部間に嵌合させることにより、切除部の対向端部同士を連結する。【選択図】  図５
2010158335.tif 000002
【特許請求の範囲】
【請求項１】
中央に空間部を有する枠体に、前記空間部を閉塞する張材を張設してなる椅子における張材の張設構造において、
前記枠体を、その周縁の一部が所望の間隔をもって切除された切除部を有し、かつ前記張材の周縁部が取り付けられる弾性を有する主フレームと、この主フレームにおける前記切除部の対向端部同士を連結する連結フレームとを備えるものとし、
前記主フレームを、その弾性力に抗して前記切除部の対向端部同士が接近しうる縮小方向に変形可能とするとともに、
前記連結フレームを、前記切除部における対向端部間に嵌合し、かつ前記主フレームの初期状態における前記切除部の対向端部間の間隔寸法とほぼ同一の寸法を有する嵌合部と、この嵌合部より左右方向の外側方に位置し、かつ前記切除部の対向端部の各々に支持される支持部とを備えるものとしたことを特徴とする椅子における張材の張設構造。
【請求項２】
主フレームにおける切除部の対向端部の対向面に、連結フレームにおける嵌合部の端面に当接する当接部を設けた請求項１記載の椅子における張材の張設構造。
【請求項３】
主フレームの周縁部に係合溝部を形成するとともに、この係合溝部に、張材の周縁部に設けた縁材を、前記主フレームの前面側から後方に向けて巻き付けるように折返し係合させることにより、前記張材を、枠体における前面側の全周に亘って張設しうるようにした請求項１または２記載の椅子における張材の張設構造。
【請求項４】
主フレームにおける切除部の対向端部の後面に、連結フレームの支持部とボルトによって螺合するためのボルト挿通孔を設けるとともに、前記支持部の後面に、前記切除部の対向端部の前面と対向して、前記主フレームの係合溝部に連通する溝部を形成したことを特徴とする請求項３記載の椅子における張材の張設構造。
【請求項５】
椅子の背凭れ、座またはヘッドレストのいずれかにおける張材の張設に適用した請求項１〜４のいずれかに記載の椅子における張材の張設構造。
【請求項６】
中央に空間部を有する枠体に、前記空間部を閉塞する張材を張設する椅子における張材の張設方法において、
前記枠体を、その周縁の一部が初期状態において所望の間隔を呈するように切除された弾性を有する主フレームと、この主フレームの初期状態における前記切除部の対向端部間の間隔寸法とほぼ同一の寸法を有する嵌合部が設けられた連結フレームとより形成するとともに、
前記主フレームを、その弾性力に抗して前記切除部の対向端部同士が接近しうる縮小方向に変形させた状態で、前記主フレームの周縁に前記張材の周縁部を取り付けた後、前記主フレームを初期状態に弾性復帰力によって拡開させて、前記連結フレームの嵌合部を、前記切除部の対向端部間に嵌合させることにより、前記切除部の対向端部同士を連結することを特徴とする椅子における張材の張設方法。
【発明の詳細な説明】
【技術分野】
【０００１】
本発明は、椅子における張材の張設構造およびその方法に関する。
【背景技術】
【０００２】
従来の椅子においては、背凭れを、例えば正面視ほぼ方形状の背凭れフレームである枠体に、特にメッシュ状の張材を張設したものが、近年開発されている。
この種の椅子は、着座者の背中に加わる張材の張力による適度な弾性反発力によるクッション作用と、通気性とを両立しうる優れた機能を有するものとして、好評を得ている。
【０００３】
背凭れの枠体に張材を張設するにあたっては、枠体の外周形寸法よりも小さくした張材を、枠体の一端部に係合させた状態で引張りながら、枠体の他端部に係合させるようにすることにより行われているのが一般的となっており、枠体や張材のいずれにも複雑な加工を施すこともなく張設作業が行える点で優れている（特許文献１，２参照）。
【０００４】
しかし、特許文献１，２に記載された張材の張設構造では、背凭れに、より一層の弾力性を発揮させるには、枠体よりも一層小さくした張材を、その弾性に抗して引っ張りながら行う、面倒な作業を行う必要があるため、張設作業の効率が悪くなる。
【０００５】
このような不具合を解消するために、張材を、下端が開放する袋状に形成するとともに、枠体を、上部横フレームと、この上部横フレームの左右両端に上端を前後方向の軸回りに回動可能にヒンジ結合した左右の側部縦フレームとで形成し、左右の側部縦フレームの下端を、左右方向に回動しうるようにて、枠体に、張材を上方から被せた後、左右の側部縦フレーム間を互いに離間する方向に拡げ、この状態で、下部横フレームとなる連結部材により連結することにより、張材に張力を付与しうるようにして、張設してなるものが公知である（特許文献３参照）。
【０００６】
しかし、特許文献３に記載された張材の張設構造では、張材を、その弾性に抗して、手で引っ張って拡げるという作業が不要になるため、作業効率を大幅に向上させることができる点で優れているものの、枠体に対して、上部フレームと左右の側部縦フレームとのヒンジ結合などの複雑な加工を施す必要がある。
そのため、コスト高になるばかりでなく、上部および左右側部の各フレーム同士がヒンジ結合されていることから、左右の側部縦フレームを下部横フレームに連結する際に、各フレーム間のバランスが取りにくく、張材の張力を枠体全体に亘って均一に保持することが困難であるという問題があった。
【先行技術文献】
【特許文献】
【０００７】
【特許文献１】特開２００６−１１０００１号公報
【特許文献２】特許第４０６２６６５号公報
【特許文献３】米国特許第６０５０６４６号公報
【発明の概要】
【発明が解決しようとする課題】
【０００８】
本発明は、上記した現状に鑑み、複雑な加工を施すことなく椅子における張材の張設作業効率を向上させることができるとともに、張材の張力を枠体全体に亘って均一に保持することができるようにした椅子における張材の張設構造およびその方法を提供することを目的としている。
【課題を解決するための手段】
【０００９】
上記課題は、「特許請求の範囲」の欄における各請求項に記載するように、次のような構成からなる発明によって解決される。
【００１０】
（１）  中央に空間部を有する枠体に、前記空間部を閉塞する張材を張設してなる椅子における張材の張設構造において、前記枠体を、その周縁の一部が所望の間隔をもって切除された切除部を有し、かつ前記張材の周縁部が取り付けられる弾性を有する主フレームと、この主フレームにおける前記切除部の対向端部同士を連結する連結フレームとを備えるものとし、前記主フレームを、その弾性力に抗して前記切除部の対向端部同士が接近しうる縮小方向に変形可能とするとともに、前記連結フレームを、前記切除部における対向端部間に嵌合し、かつ前記主フレームの初期状態における前記切除部の対向端部間の間隔寸法とほぼ同一の寸法を有する嵌合部と、この嵌合部より左右方向の外側方に位置し、かつ前記切除部の対向端部の各々に支持される支持部とを備えるものとする。
【００１１】
（２）  上記（１）項において、主フレームにおける切除部の対向端部の対向面に、連結フレームにおける嵌合部の端面に当接する当接部を設ける。
【００１２】
（３）  上記（１）項または（２）項において、主フレームの周縁部に係合溝部を形成するとともに、この係合溝部に、張材の周縁部に設けた縁材を、前記主フレームの前面側から後方に向けて巻き付けるように折返し係合させることにより、前記張材を、枠体における前面側の全周に亘って張設しうるようにする。
【００１３】
（４）  上記（３）項において、主フレームにおける切除部の対向端部の後面に、連結フレームの支持部とボルトによって螺合するためのボルト挿通孔を設けるとともに、前記支持部の後面に、前記切除部の対向端部の前面と対向して、前記主フレームの係合溝部に連通する溝部を形成する。
【００１４】
（５）  上記（１）〜（４）項のいずれかにおいて、椅子の背凭れ、座またはヘッドレストのいずれかにおける張材の張設に適用する。
【００１５】
(６)   中央に空間部を有する枠体に、前記空間部を閉塞する張材を張設する椅子における張材の張設方法において、前記枠体を、その周縁の一部が初期状態において所望の間隔を呈するように切除された弾性を有する主フレームと、この主フレームの初期状態における前記切除部の対向端部間の間隔寸法とほぼ同一の寸法を有する嵌合部が設けられた連結フレームとより形成するとともに、前記主フレームを、その弾性力に抗して前記切除部の対向端部同士が接近しうる縮小方向に変形させた状態で、前記主フレームの周縁に前記張材の周縁部を取り付けた後、前記主フレームを初期状態に弾性復帰力によって拡開させて、前記連結フレームの嵌合部を、前記切除部の対向端部間に嵌合させることにより、前記切除部の対向端部同士を連結する。
発明の具体的な内容は、次の通りである。
【発明の効果】
【００１６】
本発明によると、次のような効果が奏せられる。
請求項１記載の発明によれば、椅子における枠体を、その周縁の一部が所望の間隔をもって切除された切除部を有し、かつ張材の周縁部が取り付けられる弾性を有する主フレームと、この主フレームにおける切除部の対向端部同士を連結する連結フレームとを備えるものとし、主フレームを、その弾性力に抗して切除部の対向端部同士が接近しうる縮小方向に変形可能とするとともに、連結フレームを、切除部における対向端部間に嵌合し、かつ主フレームの初期状態における切除部の対向端部間の間隔寸法とほぼ同一の寸法を有する嵌合部と、この嵌合部より左右方向の外側方に位置し、かつ切除部の対向端部の各々に支持される支持部とを備えるものとしてあるため、枠体の加工を最小限にして、複雑な加工を施すことなく張材を張設でき、作業効率の向上を図ることができるとともに、張材の張力を枠体全体に亘って均一に保持することができる。
【００１７】
請求項２記載の発明によれば、主フレームにおける切除部の対向端部の対向面に、連結フレームにおける嵌合部の端面に当接する当接部を設けてあるため、連結フレームを、主フレームにおける切除部の対向端部間に精度良く位置決めすることができ、連結フレームのずれによる外観性の低下を防止することができる。
【００１８】
請求項３記載の発明によれば、主フレームの周縁部に係合溝部を形成するとともに、この係合溝部に、張材の周縁部に設けた縁材を、主フレームの前面側から後方に向けて巻き付けるように折返し係合させることにより、張材を、枠体における前面側の全周に亘って張設しうるようにしてあるため、張材と主フレームとの係合強度を高めることができ、張材の張力を枠体全体に亘ってより均一に保持することができる。
【００１９】
請求項４記載の発明によれば、主フレームにおける切除部の対向端部の後面に、連結フレームの支持部とボルトによって螺合するためのボルト挿通孔を設けるとともに、支持部の後面に、切除部の対向端部の前面と対向して、主フレームの係合溝部に連通する溝部を形成してあるため、張材を枠体の全周に亘って効果的に張設することができる。
【００２０】
請求項５記載の発明によれば、椅子の背凭れ、座またはヘッドレストのいずれかにおける張材の張設に適用することにより、背凭れ、座またはヘッドレストのそれぞれにおける前記請求項１〜４の効果が奏される。
【００２１】
請求項６記載の発明によれば、主フレームを、その弾性力に抗して切除部の対向端部同士が接近しうる縮小方向に変形させた状態で、主フレームの周縁に張材の周縁部を取り付けた後、主フレームを初期状態に弾性復帰力によって拡開させるとともに、切除部における対向端部の対向面間に、連結フレームの嵌合部を嵌合させることにより、主フレームにおける切除部の対向端部同士を連結しているため、複雑な加工を施すことなく張材の張設作業効率を向上させることができるとともに、張材の張力を枠体全体に亘って均一に保持することができる。
【図面の簡単な説明】
【００２２】
【図１】本発明における一実施形態の張材の張設構造を備える椅子の斜視図である。
【図２】同じく、背面図である。
【図３】同じく、側面図である。
【図４】張材の未張設状態における枠体の拡大斜視図である。
【図５】張材の未張設状態における枠体の前方から視た分解斜視図である。
【図６】同じく、枠体の後方から視た分解斜視図である。
【図７】図４のVII−VII線における張材の張設状態の拡大縦断面図である。
【図８】図４のVIII−VIII線における張材の張設状態の拡大横断面図である。
【図９】図４のIX−IX線における張材の張設状態の拡大縦断面図である。
【図１０】図４のＸ−Ｘ線における張材の張設状態の拡大縦断面図である。
【図１１】図３のＸI−ＸI線における枠体と背凭れ支持フレームとの連結状態を示す要部拡大横断面図である。
【図１２】同じく、枠体と背凭れ支持フレームとの連結状態を示す分解斜視図である。
【発明を実施するための最良の形態】
【００２３】
本発明の一実施形態を、添付図面を参照して説明する。
【実施例】
【００２４】
図１は、本発明における一実施形態の張材の張設構造を備える椅子の斜視図、図２は、同じく、背面図、図３は、同じく、側面図である。
なお、本実施形態では、リクライニング椅子を例にして、以下に説明する。
【００２５】
図１〜図３に示すように、本発明のリクライニング椅子１は、先端部にキャスタ２が設けられた放射状をなす５本の脚杆３を有する脚体４と、この脚体４の中央に立設された、ガススプリング(図示略)を備える伸縮式の脚柱５と、この脚柱５の上端に後部が固着された支基６を介して起立させた背凭れ７とより構成されている。
【００２６】
支基６は、上面が開口するほぼ中空箱状をなし、上面の開口部は、着脱可能なカバー(図示略)により覆われているとともに、その内部には、背凭れ７を起立する方向、すなわち前方に向かって付勢する付勢手段や、座８を前方に向かって付勢する付勢手段(いずれも図示略)等が設けられているが、それらについては、本発明に直接関係しないので、図示および詳細な説明は省略する。
【００２７】
支基６の後部には、左右方向を向く六角柱状の枢軸９が、その中心軸線回りに回動可能として貫通するように枢支されており、その両端部を、支基６の両側壁より左右に突出させてある。
この枢軸９は、支基６内に設けた、例えばねじりコイルばね等よりなる付勢手段(図示略)により、背凭れ７の後面における上下方向のほぼ中間部を支持する第１背凭れ支持杆１０が起立する方向、すなわち図３における反時計回りに付勢されている。
この第１背凭れ支持杆１０は、後記する第２背凭れ支持杆（リンク１６）とで背凭れ支持フレームを構成し、その前端部が枢軸９の両端部に固着されており、枢軸９の軸回りに一体となって回動するようになっている。
【００２８】
第１背凭れ支持杆１０は、図２に示すように、上方を向く起立部１０ａと前方を向く前向部１０ｂとが、屈曲部１０ｃを介して互いに連設されて、図３に示すように、側面視ほぼＬ字状をなすように形成されている。
【００２９】
起立部１０ａは、屈曲部１０ｃより二股状をなして上方に延出する左右１対の起立杆１１，１１よりなり、また前向部１０ｂは、屈曲部１０ｃより二股状をなして前方に延出する左右１対の前向杆１２，１２よりなっており、この左右１対の前向杆１２，１２の前端に設けた左右方向を向く六角孔１３，１３に、枢軸９の各端部が固嵌されている。
【００３０】
左右の起立杆１１，１１は、屈曲部１０ｃより斜め外側上方に円弧状をなして延出し、また左右の前向杆１２，１２は、斜め外側前下方に延出させることにより、第１背凭れ支持杆１０を、後面視Ｘ字状とし、その中央の交差部である屈曲部１０ｃの横幅が、各起立杆１１および前向杆１２の横幅より大で、かつ後方に向かってほぼ球面状に膨出するようにしてある。
【００３１】
屈曲部１０ｃと両起立杆１１，１１とのほぼ全体の後面と、左右の前向杆１２，１２の後面から下面の後部にかけての部分とには、連続する浅い凹部１４が設けられており、この凹部１４には、軟質合成樹脂材料、ゴムまたはその他の緩衝材よりなる保護カバー１５が、第１背凭れ支持杆１０の後面を覆うようにして、接着剤または面ファスナをもって接着するか、または必要に応じてねじ止めすることにより着脱可能に嵌合されている。
保護カバー１５の厚さは、凹部１４の深さとほぼ等しくし、保護カバー１５の表面と第１背凭れ支持杆１０の表面とが整合し、段差が生じないようにするのが好ましい。
このような保護カバー１５を第１背凭れ支持杆１０に設けることにより、リクライニング椅子１の旋回時等に、第１背凭れ支持杆１０が他物に当接して、それを傷つけたり、第１背凭れ支持杆１０自体が傷つけられたりするのを確実に防止することができる。
特に、第１背凭れ支持杆１０における前向部１０ｂの下面が、低位の床上載置物の上面角部に当接して、それを傷つけたり、第１背凭れ支持杆１０自体が傷つけられたりすることまで防止することができる。
【００３２】
支基６における枢軸９より後方の部分と、それより上方における背凭れ７の下部とは、第２背凭れ支持杆（背凭れ支持フレーム）を構成するリンク１６をもって連結されており、第１背凭れ支持杆１０が後傾したとき、背凭れ７の下部が、後下方へ回動させられるリンク１６により、第１背凭れ支持杆１０に対して後方に押動されるようになっている。
【００３３】
すなわち、リンク１６の前端部は、左右方向を向く軸１７をもって、枢軸９により枢支された第１背凭れ支持杆１０の前端の部位より後方の支基６に枢支されており、リンク１６の後端部は、背凭れ７の下端部後面に固着した取付金具１８における背凭れ７より下方に突出する下端部に、左右方向を向く軸１９をもって枢支することにより連結されている。
これにより、背凭れ７の動きに対して、枠体２９における周縁部に過大な負荷が加わることを防止することができる。
【００３４】
リンク１６は、曲率中心がリンク１６より上方(または下方)に位置する側面視円弧状の剛体をなし、第１背凭れ支持杆１０における左右の前向杆１２，１２間に配設されるようにすることにより、両前向杆１２，１２の間に挟まれて、外部に露呈しにくくしてある。
【００３５】
座８を前後位置調節可能として支持する座支持体２０の後部と前部とは、第１背凭れ支持杆１０の後傾に連動して、それぞれ後下方に移動するように案内する後部支持手段２１と前部支持手段２２とをもって、支基６に支持されている。
【００３６】
後部支持手段２１は、支基６における枢軸９より後方で、かつリンク１６の軸１７より前方の部分に、下端部が左右方向の軸２３をもって枢着されたリンク２４の上端部を座支持体２０の後部に枢着し、このリンク２４の上端部を、第１背凭れ支持杆１０の各前向杆１２における、リンク２４の下端部の軸２３より後方の部分に前後方向に摺動自在に嵌合したものとしてある。
リンク２４の上端部は、第１背凭れ支持杆１０の各前向杆１２における六角孔１３より若干後方の部分に設けた上向き突片１０ｄに前後方向に摺動自在に嵌合されている。
【００３７】
前部支持手段２２は、座支持体２０の前部に設けた左右方向を向く軸２５を、支基６に設けた後下方を向く長孔２６に摺動自在に嵌合したものとしてある。
この軸２５は、支基６内に設けた付勢手段(図示略)により、常時前方に向かって付勢されている。
【００３８】
図４は、張材の未張設状態における枠体の拡大斜視図、図５は、張材の未張設状態における枠体の前方から視た分解斜視図、図６は、同じく、枠体の後方から視た分解斜視図、図７は、図４のVII−VII線における張材の張設状態の拡大縦断面図、図８は、図４のVIII−VIII線における張材の張設状態の拡大横断面図、図９は、図４のIX−IX線における張材の張設状態の拡大縦断面図、図１０は、図４のＸ−Ｘ線における張材の張設状態の拡大縦断面図である。
【００３９】
図４〜図６に示すように、背凭れ７は、メッシュ状の張材２７と、この張材２７が前面に張設され、かつ中央に開口した空間部２８を閉塞しうる背凭れフレームである枠体２９によって構成されている。
この枠体２９は、周方向に連続する合成樹脂製の帯板状のフレーム部材からなるとともに、上部横フレーム部３０Ａ、所望の後傾状態を有する左右１対の側部縦フレーム部３０Ｂ，３０Ｂおよび下部横フレーム部３０Ｃにより、周方向に連続する正面視ほぼ方形をなす主フレーム３０を備える。
【００４０】
主フレーム３０の周縁の一部を形成する上部横フレーム部３０Ａは、図７に示すように、前面が後方に上向き傾斜させた円弧状の曲面をなし、内側縁から外側縁に向けて肉厚となるような断面形状を有するとともに、その外周縁後部には、前記張材２７の周縁部に設けた縁材２７ａが係合される係合溝部３１が左右方向に沿って設けられている。
【００４１】
側部縦フレーム部３０Ｂは、図８に示すように、外側縁側が肉厚な肉厚部の内側縁から、前記空間部２８に向けて肉薄部となるように延設した断面形状を有するとともに、その外側縁部には、前記張材２７の周縁部に設けた縁材２７ａが係合される係合溝部３２が、前記係合溝部３１と連通しうるように、上下方向に沿って設けられている。
【００４２】
下部横フレーム部３０Ｃは、図５および図６に示すように、左右の端部の一部を残して、前後方向の厚さ方向に２分割され、その後面側を基部３３とし、この基部３３の左右方向の中央部の一部を所望の間隔をもって切除するとともに、この切除部３４の対向端部３４ａ，３４ａ同士が、基部３３の前面に後面を対向させて組み付けられる、前面側のカバー部となる連結フレーム３５によって連結されている。
この連結フレーム３５における左右方向の中央部には、前記基部３３の切除部３４に嵌合する嵌合部３６が後方に向けて突設されており、この嵌合部３６は、前記主フレーム３０の初期状態における切除部３４の対向端部３４ａ，３４ａの対向面間の間隔寸法とほぼ同一の幅寸法を有している。
【００４３】
なお、背凭れ７を形成する枠体２９の下部に枢支されるリンク１６の後端が軸１９をもって取り付けられる取付金具１８は、前記切除部３４における対向端部３４ａ，３４ａ間に跨って、前記基部３３の後面に固着されるようになっている。
これにより、背凭れ７のリクライニング時に、取付金具１８を介して基部３３の後面中央に加わるリンク１６による負荷に対して、基部３３が弾性変形可能になっている。
【００４４】
連結フレーム３５には、前記嵌合部３６の前面側両端から、前記基部３３の切除部３４の対向端部３４ａ，３４ａの前面側に向かって延びる左右１対の支持部３７，３７が形成されている。
これら支持部３７の後面は、前記切除部３４の対向端部３４ａ，３４ａの前面に当接されて、前記切除部３４の対向端部３４ａ，３４ａ間を跨ぐように、基部３３の前面にそれぞれ支持されるようになっている。
【００４５】
下部横フレーム部３０Ｃは、基部３３と連結フレーム３５とを組み付けることによって、図９，図１０に示すように、内部が中空構造となる肉厚な断面形状に形成されているとともに、互いの中空部には、上下方向および左右方向の長手方向に沿う複数のリブ３８，３９が、前後方向に向けてそれぞれ突設されている。
また、基部３３の切除部３４における対向端部３４ａ，３４ａの対向面に臨むリブ３８の端部は、基部３３に連結フレーム３５を組み付けた際に、嵌合部３６の左右の端面が当接する当接部３８ａとなっている。
【００４６】
基部３３におけるリブ３８の近傍には、ボルト挿通孔４０が設けられているとともに、このボルト挿通孔４０に対向する連結フレーム３５の左右の支持部３７におけるリブ３９の近傍には、嵌合部３６を間にして左右に複数の雌ねじ穴４１が設けられている。
これら雌ねじ穴４１には、図９に示すように、基部３３の後方から、前記ボルト挿通孔４０を通して挿通されるボルト４２が螺合され、このボルト４２によって、前記基部３３に連結フレーム３５における左右の支持部３７が支持されるようになっている。
【００４７】
なお、連結フレーム３５における左右の支持部３７は、それぞれ左右に２分割されており、これら分割部３７Ａには、複数のボルト挿通孔４３が設けられ、これらボルト挿通孔４３に対向しうるように基部３３の前面に設けた雌ねじ穴４４に向けて、ボルト４５を、前記ボルト挿通孔４３を通して前方から、それぞれ挿通して螺合させることにより、前記分割部３７Ａが基部３３の前面に支持されるようになっている。
このように、連結フレーム３５の支持部３７を分割することにより、前記した背凭れ７のリクライニング時に、基部３３の後面中央に加わる負荷に対して、基部３３の弾性変形を容易にし、応力集中の分散化を図ることができるようにするとともに、基部３３に対する加工精度の許容範囲を拡大可能にしている。
【００４８】
連結フレーム３５における雌ねじ穴４１の近傍は、後方に突出する突出部４６とし、この突出部４６は、図９に示すように、締結状態において、基部３３のボルト挿通孔４０の近傍に形成した凹部４７に係合しうるようになっている。
【００４９】
連結フレーム３５における支持部３７の後面には、溝部４８が形成されており、この溝部４８は、基部３３の切除部３４における対向端部３４ａ，３４ａの前面と対向させることにより、前記側部縦フレーム部３０Ｂに設けた係合溝部３２、前記嵌合部３６の下面に設けた係止溝部３６ａとそれぞれ連通しうるようにし、前記張材２７の周縁部に設けた縁材２７ａが係合されるようになっている。
【００５０】
張材２７は、主フレーム３０の周縁部に形成した係合溝部３１，３２および溝部４８に、張材２７の周縁部に設けた縁材２７ａを、前記主フレーム３０の前面側から後方に向けて巻き付けるように折返し係合させることにより、枠体２９における前面側の全周に亘って張設し、枠体２９中央の空間部２８を閉塞しうるようになっている。
これにより、張材２７を、枠体２９の前面全体に亘って緊張状態で張設することができるとともに、枠体２９の前面全てが張材２７で覆われるため、デザイン的にスマートな印象を与えることができる。
【００５１】
なお、張材２７は、例えば高張力プラスチックその他の弾性を有する繊維をネット状に編むかまたは織ったネット状もしくはメッシュ状のものが好ましいが、単なる織布、合成樹脂製シート、多孔質性シー材等により形成してもよい。
【００５２】
次に、枠体２９に対する張材２７の張設手順を、以下に説明する。
まず、主フレーム３０から、連結フレーム３５を、支持部３７の分割部３７Ａを基部３３に残して取り外した状態において、主フレーム３０における左右の側部縦フレーム部３０Ｂを、その弾性力に抗して、図５に想像線で示すように、基部３３における切除部３４の対向端部３４ａ，３４ａ同士が接近しうる縮小方向に弾性変形させる。
【００５３】
この状態で、主フレーム３０の周縁に、張材２７を前面側から後方に向けて巻き付けるように折返して、主フレーム３０の周縁に形成した係合溝部３１，３２、３６ａに、張材２７の周縁部に設けた縁材２７ａを係合させることにより、主フレーム３０の周縁部に張材２７を緊張状態をもって取り付ける。
【００５４】
次いで、主フレーム３０の左右の側部縦フレーム部３０Ｂを、その弾性復帰力を利用して初期状態に拡開させ、張材２７に更なる張力を付与した状態をもって、基部３３の前面に連結フレーム３５の後面を組み付け、連結フレーム３５の嵌合部３６を、その左右の端面が切除部３４の対向端部３４ａ，３４ａ間の対向面における当接部３８ａに当接しうるように嵌合させた後、連結フレーム３５における左右の支持部３７，３７を、ボルト４２によって締結することにより、切除部３４の対向端部３４ａ，３４ａ同士を連結する。
これにより、張材２７を、複雑な加工を施すことなく作業効率良く張設できるとともに、張材２７の張力を枠体２９全体に亘って均一に保持することができる。
【００５５】
なお、基部３３の前面に連結フレーム３５を支持させる場合において、たとえば支持部３７および分割部３７Ａの後面上縁に下向きの爪を、その後面下縁に上向きの爪を設け、これらの爪を、基部３３の前面に係合させることにより、基部３３に対する連結フレーム３５の上下方向のずれが効果的に防止されるようにしてもよい。 
【００５６】
背凭れ支持フレームを構成する第１背凭れ支持杆１０の上部は、枠体２９の後部に枢支することにより連結されている。
すなわち、図４に示すように、主フレーム３０の左右両側部縦フレーム部３０Ｂの左右方向の内側縁における上下方向のほぼ中間位置には、互いに左右方向に対向しうるように左右１対の張出部４９が、後方に向け膨出させて形成されている。
この張出部４９の後端には、図２に示すように、第１背凭れ支持杆１０における左右の起立杆１１の上端部１１ａが、背凭れ７のリクライニング動作に追従しうるように、ほぼ左右方向を向く軸線まわりに、かつ前記軸線から逸れる方向にも所要角度で、所望の限定範囲をもって無方向に回動可能に連結されるようになっている。
【００５７】
左右の張出部４９は、その中心軸が、枠体２９の平面視前向き凹面形状の曲面に整合しうるように、前方に向けて互いに内側に傾斜させてなるとともに（図４、図６参照）、枠体２９の後傾角度に整合しうるように、前方に向けて上向きに傾斜させてある（図３参照）。
【００５８】
図１１は、図３のＸI−ＸI線における枠体と背凭れ支持フレームとの連結状態を示す要部拡大横断面図、図１２は、同じく、枠体と背凭れ支持フレームとの連結状態を示す分解斜視図である。
【００５９】
図１１および図１２に示すように、第１背凭れ支持杆１０における左右の起立杆１１の上端部１１ａ前面には、固定ねじ５０によって固定された凸軸５１が、前方に向け突出させて設けられているとともに、この凸軸５１の前端を球体状の摺接面体５２とし、かつこの摺接面体５２には、ほぼ左右方向を向く軸孔５３が貫通させて形成されている。
この軸孔５３内には、摺接面体５２の中心部から左右両側方に、外側に向かって漸次拡径するテーパー孔部５４，５４が形成されている。
【００６０】
一方、側部縦フレーム部３０Ｂの張出部４９には、後方に向け開口する嵌合穴５５が設けられており、この嵌合穴５５には、後方に向け受穴５６が開口する受筒部材５７が嵌合されている。
この受筒部材５７の受穴５６には、前記凸軸５１の摺接面体５２が後方から挿入されて摺接可能になっているとともに、前記軸孔５３に、ほぼ左右方向を向く抜け止めピン５８を遊嵌して、この抜け止めピン５８の左右の両端部を、受筒部材５７の左右に設けた係止孔５９に挿入し係止させることにより、前記凸軸５１と受筒部材５７とが、互いに連結されるようになっている。
【００６１】
受筒部材５７の前端には、ボルト軸６０が前方に向かって突設されており、このボルト軸６０は、その前端を、前記張出部４９の嵌合穴５５の底部に貫通させた通孔６１を通して、張出部４９の前面側に向けて突出させてなるとともに、この突出軸部６０ａに、前方からナット６２を螺合させて締結することにより、前記受筒部材５７が、前記張出部４９の嵌合穴５５に強固に固定されるようになっている。
これにより、第１背凭れ支持杆１０における左右の起立杆１１の上端部１１ａが、抜け止めピン５８の軸線まわりに回動可能に、かつ前記軸線から逸れる方向にも所要角度回動可能にして、前記張出部４９の後部に連結されるようになっている。
【００６２】
起立杆１１の上端部１１ａ前面と張出部４９の後端面との間には、エラストマー等の軟質弾性体からなる緩衝部材６３が挟持されている。
この緩衝部材６３は、椅子の長期使用に伴って、枠体２９と第１背凭れ支持杆１０の上部との連結部位が磨耗したり、破損することを防止しうるようになっている。
【００６３】
張出部４９の前方に露出するボルト軸６０の突出軸部６０ａとナット６２との締結部分には、前記張出部４９の前方からキャップ部材６４が被冠されて、その締結部分が外部に露呈するのを防止している。
このキャップ部材６４は、その内部中心から後方に向けて突設した固定杆６５を、ボルト軸６０の前端に開口させた固定穴６６に圧入することにより、張出部４９の前面に取り付けられている。
【００６４】
キャップ部材６４の前面と枠体２９の前面に張設された張材２７の後面との間には、所望の間隔をもって隙間ａが設けられており、背凭れ７をリクライニングさせる際などのように、着座者の背中によって、張材２７を後方に撓ませても、前記隙間ａによって、キャップ部材６４に当たらないようにするか、あるいはキャップ部材６４の弾性変形により、ボルト軸５９とナット６２との締結部分が、着座者の背中に直接当たらないように、クッション作用を持たせてある。
【００６５】
上記の実施形態では、椅子１の背凭れ７における張材２７の張設構造に本発明を適用しているが、椅子１の座８やヘッドレスト(図示略)における張材２７の張設構造にも、本発明を適用することができる。
【符号の説明】
【００６６】
１    リクライニング椅子
２    キャスタ
３    脚杆
４    脚体
５    脚柱
６    支基
７    背凭れ
８    座
９    枢軸
１０  第１背凭れ支持杆（背凭れ支持フレーム）
１０ａ  起立部
１０ｂ  前向部
１０ｃ  屈曲部
１０ｄ  上向き突片
１１  起立杆
１１ａ  上端部
１２  前向杆
１３  六角孔
１４  凹部
１５  保護カバー
１６  リンク（第２背凭れ支持杆）
１７  軸
１８  取付金具
１９  軸
２０  座支持体
２１  後部支持手段
２２  前部支持手段
２３  軸
２４  リンク
２５  軸
２６  長孔
２７  張材
２７ａ  縁材
２８  空間部
２９  枠体（背凭れフレーム）
３０  主フレーム
３０Ａ  上部横フレーム部
３０Ｂ  側部縦フレーム部
３０Ｃ  下部横フレーム部
３１  係合溝部
３２  係合溝部
３３  基部
３４  切除部
３４ａ  対向端部
３５  連結フレーム（カバー部）
３６  嵌合部
３６ａ  係止溝部
３７  支持部
３７Ａ  分割部
３８  リブ
３８ａ  当接部
３９  リブ
４０  ボルト挿通孔
４１  雌ねじ穴
４２  ボルト
４３  ボルト挿通孔
４４  雌ねじ穴
４５  ボルト
４６  突出部
４７  凹部
４８  溝部
４９  張出部
５０  固定ねじ
５１  凸軸
５２  摺接面体
５３  軸孔
５４  テーパー孔部
５５  嵌合穴
５６  受穴
５７  受筒部材
５８  抜け止めピン
５９  係止孔
６０  ボルト軸
６０ａ  突出軸部
６１  通孔
６２  ナット
６３  緩衝部材
６４  キャップ部材
６５  固定杆
６６  固定穴
ａ  隙間
【図１】
2010158335.tif 000003
【図２】
2010158335.tif 000004
【図３】
2010158335.tif 000005
【図４】
2010158335.tif 000006
【図５】
2010158335.tif 000007
【図６】
2010158335.tif 000008
【図７】
2010158335.tif 000009
【図８】
2010158335.tif 000010
【図９】
2010158335.tif 000011
【図１０】
2010158335.tif 000012
【図１１】
2010158335.tif 000013
【図１２】
2010158335.tif 000014